(57)【要約】【課題】視聴者がビデオカセットレコーダ本体のところに行かなくてもカセットテープ挿入口にあるカセットテープを装填し、記録内容の視聴または新たな内容を記録できるようにすることを目的とする。【解決手段】ビデオカセットレコーダのカセットテープ挿入口及びカセットテープのそれぞれにギアを追加し視聴者が再度視聴しようとする際にビデオカセットレコーダに付属のリモコンからコマンドキーを押しビデオカセットレコーダにカセットテープ挿入コマンドを送りこの追加したギアを駆動しカセットテープの装填を行うものである。【選択図】  図２
2004310940.tif 000002
【特許請求の範囲】
【請求項１】
ビデオカセットレコーダのカセットテープ挿入口にカセットテープが置かれたままになっている状態で視聴者がこのカセットテープに記録されている内容を見る時や新たに記録を行う時リモコンによってビデオカセットレコーダにこのカセットテープを装填し再生または記録ができるようにしたことを特徴とするビデオカセットレコーダ。
【請求項２】
ビデオカセットレコーダのカセットテープ挿入口にカセットテープが置かれたままになっている状態で視聴者がこのカセットテープに記録されている内容を見る時や新たに記録を行う時リモコンによってビデオカセットレコーダにこのカセットテープを装填し再生または記録ができるようにしたことを特徴とするカセットテープ。
【発明の詳細な説明】
【０００１】
【発明の属する技術分野】
本発明はビデオカセットレコーダのカセットテープ挿入口にカセットテープが置かれたままになっている状態で視聴者がリモコンによってこのカセットテープをビデオカセットレコーダに装填させ記録内容の視聴または新たな内容を記録するビデオカセットレコーダ及びカセットテープに関する。
【０００２】
【従来の技術】
従来におけるビデオカセットレコーダ及びカセットテープでは、視聴していたカセットテープを停止し長時間放置した後再度視聴する際、カセットテープをビデオカセットレコーダに挿入したままにしておくとそのヘッドが着磁するため通常はリモコン等のカセットテープ取り出しボタンで一旦カセットテープ挿入口にカセットテープを置いておき再度視聴する際に視聴者はビデオカセットレコーダ本体のところへいきカセットテープ挿入口のカセットテープを押し、このカセットテープをビデオカセットレコーダに装填させ記録内容の視聴または新たな内容を記録するものであった。
【０００３】
図３はその際のイメージ図であり、この図において、１はビデオカセットレコーダ、２はカセットテープ、３はビデオカセットレコーダ１のカセットテープ挿入口に置かれたカセットテープ２を視聴者自身が装填するイメージの矢印である。  従来の本発明に類似のビデオカセットレコーダは、あらかじめ数本のカセットレコーダを所定の場所に装填させておき必要に応じてカセットレコーダナンバー等を入力し再生、記録を行うものである（例えば特許文献１参照）。
【０００４】
【特許文献１】
特開平１−３１９１６５号公報（第１−３頁、第１図、第２図）
【０００５】
【発明が解決しようとする課題】
しかしながら以上のようなビデオカセットレコーダ１及びカセットテープ２の場合、カセットテープ挿入口にカセットテープ２を置いて再度視聴する際に、視聴者はビデオカセットレコーダ１本体のところへ行きカセットテープ挿入口のカセットテープ２を手動で押し、このカセットテープ２をビデオカセットレコーダ１に装填させておいて記録内容の視聴または新たな内容を記録する必要がある。
【０００６】
本発明ではこのような煩雑さを解消し、視聴者がビデオカセットレコーダ１本体のところに行かなくてもカセットテープ挿入口にあるカセットテープ２を装填し、記録内容の視聴または新たな内容を記録できるようにすることを目的とする。
【０００７】
また従来のビデオカセットレコーダ及びカセットテープと共用可能であることとする。つまり本発明のビデオカセットレコーダと従来のカセットテープ、もしくは従来のビデオカセットレコーダと本発明のカセットテープの組み合わせでも本発明の機能を除けば従来のビデオカセット機能は全て利用できることである。
【０００８】
【課題を解決するための手段】
本発明のビデオカセットレコーダのカセットテープ挿入口及びカセットテープのそれぞれにギアを追加し視聴者が再度視聴しようとする際にビデオカセットレコーダに付属のリモコンからコマンドキーを押しビデオカセットレコーダにカセットテープ挿入コマンドを送りこの追加したギアを駆動しカセットテープの装填を行うものである。
【０００９】
【発明の実施の形態】
本発明の請求項１および請求項２の発明は、ビデオカセットレコーダのカセットテープ挿入口及びカセットテープのそれぞれにギアを追加し視聴者が再度視聴しようとする際はビデオカセットレコーダに付属のリモコンで再生ボタンを押し続けることによりカセットテープ挿入コマンドを送りこの追加したギアが駆動しカセットテープの装填を行う。次に一旦装填が行われると従来通りビデオカセットレコーダに電源が入る。次にこのリモコンで再生ボタンを押し続けた場合のカセットテープ挿入コマンドはカセットテープの再生コマンドも兼ねており、自動的に記録されている内容の視聴ができる。
【００１０】
また、視聴者が新たな内容をカセットテープに記録しようとする際も基本的に同様でリモコンで録画ボタンを押し続けることでカセットテープ挿入口に置かれたカセットテープの装填を行い、あらかじめ設定されたソースの記録を行う。
【００１１】
ただし、このときに装填されたカセットテープのつめが折れている場合、録画ができないのは従来通りである。
【００１２】
以下、本発明の実施の形態について、図１、図２を参照しながら説明する。
【００１３】
（実施の形態１）
図１において１はビデオカセットレコーダ、２はカセットテープ、３はビデオカセットレコーダ１のカセットテープ挿入口に置かれたカセットテープ２が後述のリモコンで送信される装填コマンドにより装填されるイメージの矢印、４はビデオカセットレコーダ１の付属リモコン、５はリモコン４上の再生ボタン、６はリモコン４上の録画ボタンである。
【００１４】
図２において１はビデオカセットレコーダ、２はカセットテープ挿入口に置かれた状態のカセットテープ、３はカセットテープ２がビデオカセットレコーダ１に装填されるイメージの矢印、７はカセットテープ挿入口から取り出されたカセットテープ、８はカセットテープ７に追加されたギア、９はカセットテープ２に追加されたギア、１０はビデオカセットレコーダ１に追加されたギア、１１はカセットテープ７がビデオカセットレコーダ１のカセットテープ挿入口に置かれるイメージの矢印、１２はカセットテープ７の下面視、１３はカセットテープ７に追加されたギアの下面視、１４はカセットテープ７に追加されたギアの下面視である。
【００１５】
以下基本的にカセットテープ装填再生とカセットテープ装填録画は同一手法であるため後者は省略し、前者のカセットテープ装填再生の場合のみについて説明する。
【００１６】
視聴者が視聴していたカセットテープ２を停止させ、リモコン４のカセットテープ取り出しボタンで一旦カセットテープ挿入口にカセットテープ２を置いておく。この時、ギア８、ギア９、ギア１３、ギア１４はギア１０とかみ合う位置にそれぞれ取り付けられている。
【００１７】
次に視聴者が再度視聴する際にリモコン４の再生ボタン５を押し続けるとビデオカセットレコーダ１に電源が入りギア１０が回転を始めギア８、ギア９、ギア１３、ギア１４とかみ合いカセットテープ２をビデオカセットレコーダ１に装填させる。視聴者は一旦ビデオカセットレコーダ１に電源が入ると再生ボタン５を押し続けていたのを解除することができる。
【００１８】
ここからは従来のビデオカセットレコーダの動作と全く同じでカセットテープ２が装填されると再生ボタン５を押しているので自動的に再生スタートする。
【００１９】
視聴者が視聴し終え、リモコン４のカセットテープ取り出しボタンでカセットテープ２を取り出す時は従来の取り出し機能が働き、カセットテープ２は取り出し口まで取り出されるが、ギア１０はニュートラル状態にあり、カセット２はスムーズに取り出し口に置かれる。
【００２０】
補足説明として、リモコン４の再生ボタンの１度押しと押し続けた時の差はカセットテープ２がビデオカセットレコーダ１に装填されているか、カセットテープ挿入口に置かれているかによる。前者の場合、双方とも再生コマンドとしてビデオカセットレコーダ１は認識するが後者の場合は再生ボタンを押し続けた時しか認識せず、再生ボタンの１度押しでは動作を行わない。
【００２１】
【発明の効果】
以上説明したように、本発明によればカセットテープ挿入口にカセットテープを置かれた状態で再度視聴する際に、視聴者はビデオカセットレコーダ本体のところへ行きカセットテープ挿入口のカセットテープを手動で押してビデオカセットレコーダに装填させなくても、視聴者がビデオカセットレコーダ本体のところに行かなくてもリモコンの再生ボタンもしくは録画ボタンを押し続けてカセットテープの装填、再生コマンドもしくは装填、録画コマンドを発行すればカセットテープレコーダがカセットテープ挿入口にあるカセットテープを装填し、記録内容の視聴または新たな内容を記録できるようにするものである。
【図面の簡単な説明】
【図１】本発明の実施の形態１におけるビデオカセットレコーダ及びカセットテープの操作説明図
【図２】本発明の実施の形態１におけるビデオカセットレコーダ及びカセットテープの構成を示す図
【図３】従来のビデオカセットレコーダ及びカセットテープの操作説明図
【符号の説明】
１  ビデオカセットレコーダ
２  カセットテープ
３  カセットテープがビデオカセットレコーダに装填されるイメージの矢印
４  リモコン
５  リモコン４上の再生ボタン
６  リモコン４上の録画ボタン
７  カセットテープ挿入口から取り出されたカセットテープ
８  カセットテープ７に追加されたギア
９  カセットテープ２に追加されたギア
１０  ビデオカセットレコーダ１に追加されたギア
１１  カセットテープ７がビデオカセットレコーダ１のカセットテープ挿入口に置かれるイメージの矢印
１２  カセットテープ７の下面視
１３  カセットテープ７に追加されたギアの下面視
１４  カセットテープ７に追加されたギアの下面視
【図１】
2004310940.tif 000003
【図２】
2004310940.tif 000004
【図３】
2004310940.tif 000005